【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
光信号を電気信号に変換する光電変換素子であって、 
同一出力端子について、光量に依存した信号（以下、通常信号と称す）を出力する通常出力モードと、 
光量に依存しない一定の信号（以下、ダミー信号と称す）を出力するダミー出力モードと、 
を備えていることを特徴とする光電変換素子。 
【請求項２】
前記ダミー信号を生成するダミー信号生成部と、 
前記ダミー信号か前記通常信号のどちらかに信号ラインを切り替える選択手段と、 
を備え、前記選択手段によって前記通常出力モードとダミー出力モードの切り替えを行うことを特徴とする請求項１記載の光電変換素子。 
【請求項３】
前記ダミー信号を生成するダミー信号生成部と、 
前記ダミー信号生成部と前記出力端子の間に設けられたスイッチ手段と、 
出力ＯＮ／ＯＦＦ制御機能をもつ出力バッファと、 
を備え、前記出力バッファのＯＮ／ＯＦＦと前記スイッチ手段のＯＮ／ＯＦＦによって前記通常出力モードと前記ダミー出力モードの切り替えを行うことを特徴とする請求項１記載の光電変換素子。 
【請求項４】
前記ダミー信号生成部で生成されるダミー信号は直流電位であることを特徴とする請求項２又は３記載の光電変換素子。 
【請求項５】
前記ダミー信号のオフセットレベルは通常信号のオフセットレベル相当であることを特徴とする請求項４記載の光電変換素子。 
【請求項６】
電源ＯＮ時の初期状態が前記ダミー出力モードであることを特徴とする請求項１ないし５のいずれか１項に記載の光電変換素子。 
【請求項７】
前記通常出力モードかダミー出力モードかを切り替える切替信号は外部端子から供給されることを特徴とする請求項１ないし６のいずれか１項に記載の光電変換素子。 
【請求項８】
前記通常出力モードかダミー出力モードかを切り替える切替信号はローパスフィルタによる遅延を用いて内部的に生成されることを特徴とする請求項１ないし６のいずれか１項に記載の光電変換素子。 
【請求項９】
前記通常出力モードかダミー出力モードかを切り替える切替信号は、ローパスフィルタによる遅延を用いて内部的に生成された信号と、外部端子からの供給信号の論理和または論理積であることを特徴とする請求項１ないし６のいずれか１項に記載の光電変換素子。
【請求項１０】
前記ローパスフィルタを構成する抵抗または容量の少なくとも一方は外部端子からの供給であることを特徴とする請求項８又は９に記載の光電変換素子。 
【請求項１１】
光信号を電気信号に変換する光電変換素子であって、 
同一出力端子について、通常信号を出力する通常出力モードと、信号変化を遅くした遅延信号を出力する遅延出力モードを備えていることを特徴とする光電変換素子。 
【請求項１２】
前記遅延信号を生成する遅延信号生成部と、前記遅延信号か前記通常信号のどちらかに信号ラインを切り替えるラインセレクタまたはラインスイッチを備え、いずれかの切り替えによって前記通常出力モードと遅延出力モードを切り替えることを特徴とする請求項１１記載の光電変換素子。 
【請求項１３】
前記遅延信号を生成する遅延信号生成部と、 
ダミー信号を生成するダミー信号生成部と、 
前記ダミー信号生成部と出力端子の間に設けられたスイッチ手段と、 
出力ＯＮ／ＯＦＦ制御機能をもつ出力バッファと、 
を備え、前記出力バッファのＯＮ／ＯＦＦとスイッチ手段のＯＮ／ＯＦＦによって前記通常出力モードとダミー出力モードの切り替えを行うことを特徴とする請求項１１記載の光電変換素子。 
【請求項１４】
前記遅延信号生成部はローパスフィルタからなることを特徴とする請求項１２又は１３記載の光電変換素子。 
【請求項１５】
電源ＯＮ時の初期状態が前記遅延出力モードであることを特徴とする請求項１１ないし１４のいずれか１項に記載の光電変換素子。 
【請求項１６】
前記遅延出力モードかダミー出力モードかを切り替える切替信号は外部端子によって供給されることを特徴とする請求項１３ないし１５の何れかに記載の光電変換素子。 
【請求項１７】
前記切替信号は、ローパスフィルタによる遅延を用いて内部的に生成されることを特徴とする請求項１６記載の光電変換素子。 
【請求項１８】
前記切替信号は、ローパスフィルタによる遅延を用いて内部的に生成された信号と、外部端子からの供給信号の論理和または論理積であることを特徴とする請求項１３ないし１５のいずれか１項に記載の光電変換素子。 
【請求項１９】
前記ローパスフィルタを構成する抵抗又は容量の少なくとも一方は外部端子からの供給であることを特徴とする請求項１４、１７及び１８のいずれか１項に記載の光電変換素子。 
【請求項２０】
請求項１ないし１９のいずれか１項に記載の光電変換素子を備えていることを特徴とする画像読み取り装置。 
【請求項２１】
請求項２０記載の画像読み取り装置を備えていることを特徴とする画像形成装置。 
【請求項２２】
請求項２０記載の画像読み取り装置の過大電流を抑制する過大電流抑制方法であって、
システム電源がＯＮされた後あるいは省エネルギ復帰指示後に、前記光電変換素子をダミー出力モードにする工程と、 
予め設定された時間ウェイトする工程と、 
ウェイト後に前記光電変換素子を通常出力モードにする工程と、 
を備え、前記各工程を終了した後、システム立ち上げあるいは省エネルギ復帰することを特徴とする画像読み取り装置の過大電圧抑制方法。 
【請求項２３】
請求項２０記載の画像読み取り装置の過大電流を抑制する過大電流抑制方法であって、
システム電源がＯＮされた後あるいは省エネルギ復帰指示後に、前記光電変換素子を遅延出力モードにする工程と、 
予め設定された時間ウェイトする工程と、 
ウェイト後に前記光電変換素子を通常出力モードにする工程と、 
を備え、前記各工程を終了した後、システム立ち上げあるいは省エネルギ復帰することを
特徴とする画像読み取り装置の過大電圧抑制方法。 
【請求項２４】
請求項２０記載の画像読み取り装置の過大電流を抑制する過大電流抑制方法であって、
システム電源がＯＮされた後あるいは省エネルギ復帰指示後に、前記光電変換素子を遅延出力モードにする工程と、 
予め設定された第１の時間ウェイトする工程と、 
前記第１の時間ウェイト後にダミー出力モードにする工程と、 
予め設定された第２の時間ウェイトする工程と、 
前記第２の時間ウェイト後に前記光電変換素子を通常出力モードにする工程と、 
を備え、前記各工程を終了した後、システム立ち上げあるいは省エネルギ復帰することを特徴とする画像読み取り装置の過大電圧抑制方法。 
【請求項２５】
前記ウェイト時間、および第１、第２のウェイト時間は、過大電圧の影響が十分に小さくなるまでの時間であることを特徴とする請求項２２ないし２４のいずれか１項に記載の画像読み取り装置の過大電圧抑制方法。
【手続補正２】
【補正対象書類名】明細書
【補正対象項目名】０００８
【補正方法】変更
【補正の内容】
【０００８】
また、特許文献２には、レベル調整、或いは検査に用いる疑似読み取り信号の生成を行うための回路構成を簡単化して、部品数を低減、コストを下げることを目的とし、カラー読取モードではＣＰＵにより設定されるＤＡＣの各出力チャンネルの電圧を各色のＡＤＣのリファレンスVreftとし、各画像出力レベルを調整し、白黒濃度調整読取モードではＧ信号のみ使用し画像出力し、濃度調整はアナログ処理回路の出力画像のピーク値をＡＤＣのリファレンス電圧Vreftとし、オフセット調整回路でＤＡＣのＧ以外のチャンネルの１つを調整に用い、検査モードではＤＡＣのチャンネルを使い分け、各色毎にＣＣＤ擬似出力信号とＡＤＣのリファレンスVreftを生成し、上記各モードでＤＡＣを共通化する技術が開示されている。 
【特許文献１】特開平１１−２６１８９７号公報
【特許文献２】特開２００２−２３７９５７号公報
【手続補正３】
【補正対象書類名】明細書
【補正対象項目名】００３６
【補正方法】削除
【補正の内容】
【手続補正４】
【補正対象書類名】明細書
【補正対象項目名】００３７
【補正方法】削除
【補正の内容】